(57)【特許請求の範囲】
【請求項１】
湾曲可能な板状部材を棒状部材、湾曲部材又は指の爪部に沿って湾曲させる工程と、
前記湾曲された板状部材の表面に瞬間接着剤を爪の形になるように塗布する工程と、
前記塗布して乾燥した瞬間接着剤からなる人工爪を整形する工程と、
前記板状部材から人工爪を離脱させる工程と、
を有し、
前記塗布された瞬間接着剤が乾燥する前に、前記瞬間接着剤と同一の材質の瞬間接着剤を乾燥して作られた粉と色素とを混合した混合物を前記瞬間接着剤の表面に溶着することを特徴とする人工爪の作製方法。
【請求項２】
天然爪の欠けた部分を補修するように瞬間接着剤を塗布する工程と、
前記塗布された瞬間接着剤が乾燥する前に、前記瞬間接着剤と同一の材質の瞬間接着剤を乾燥して作られた粉と、天然爪の色と略同一の色素とを混合した混合物を前記瞬間接着剤の表面に溶着する工程と、
前記塗布して乾燥した瞬間接着剤からなる人工爪を整形する工程と、
を有することを特徴とする人工爪の作製方法
【請求項３】
前記請求項１又は２に記載の作製方法により作製された人工爪。
【請求項４】
湾曲可能な板状部材を棒状部材、湾曲部材又は指の爪部に沿って湾曲させる工程と、
前記湾曲された板状部材の表面に瞬間接着剤を爪の形になるように塗布する工程と、
前記塗布して乾燥した瞬間接着剤からなる人工爪を整形する工程と、
前記板状部材から人工爪を離脱させる工程と、
を有する人工爪の作製方法によって作製された人工爪を、前記瞬間接着剤と同一の材質の瞬間接着剤を用いて、天然爪に接着することを特徴とする人工爪の接着方法。
【請求項５】
前記天然爪の一部を覆うように前記人工爪を装着することを特徴とする請求項４に記載の人工爪の接着方法。
【請求項６】
前記人工爪を天然爪に接着した後、人工爪と天然爪との境界部分及びその周辺部分に前記瞬間接着剤を塗布し、
次いで、前記瞬間接着剤と同一の材質の瞬間接着剤を乾燥して作られた粉と色素とを混合した混合物を前記瞬間接着剤の表面に溶着し、
次いで、乾燥した瞬間接着剤を整形して段差を平坦にすることを特徴とする請求項５に記載の人工爪の接着方法。
【発明の詳細な説明】
【０００１】
【発明の属する技術分野】
本発明は人工爪の作製方法、人工爪及び人工爪の接着方法に関する。
【０００２】
【従来の技術】
昔から女性を中心に指先を美しくみせるために爪を長く延ばす者が多い。しかし、爪を延ばすと、爪が欠けたり割れたりするという問題がある。そこで、従来から天然爪に人工爪（付け爪）を装着することが行われている。また、怪我や病気のために爪を無くしたり、割れ爪、折れ爪、変形爪になった者にとっても、人工爪は有用なものとなる。
【０００３】
従来の人工爪は、予め人の天然爪の形に模して成形されたプラスチック製のものが広く知られており、接着剤によって天然爪の全体又は爪先に接合される（以下、従来例１という）。
【０００４】
また、特開平１１−２１２１２号公報には、透明性の高いアクリレート系樹脂を使用して形成される人工爪（以下、従来例２という）や、紫外線又は可視光線を照射して硬化させて形成される人工爪（以下、従来例３という）が開示されている。
【０００５】
さらに、特開平９−２０１２２３号公報には、裏側に粘着剤を塗布した型紙を指先に装着し、その型紙及び天然爪上に、小筆の先で粉と液を混合させたアクリル系常温硬化型レジンを塗布し、硬化後、爪切り、やすり等で形を整える方法が開示されている。この方法によれば、各個人の爪の形状に合致した状態で人工爪を形成するため、審美的に優れた自然感のある人工爪を装着することが可能となる（以下、従来例４という）。
【０００６】
【発明が解決しようとする課題】
従来例１の人工爪では、予め所定の形に形成されているので、各個人の爪の形状や大きさに合致した所望の人工爪を作製することができないという課題がある。また、人工爪の材質と接着剤の材質が異なるため、人工爪の天然爪への接着性は必ずしも良好とはいえなかった。
【０００７】
従来例２の人工爪では、接着剤としても用いられるアクリレート系樹脂を使用しているが、アクリレート系樹脂を用いて各個人の爪の形状に合致した所望の人工爪を作製する方法については、何ら開示されておらず、それを示唆する記載もない。
【０００８】
従来例３では、紫外線又は可視光線を照射する装置を特別に必要とするため、作製コストが高くなり、作製時間がかかるという課題がある。
【０００９】
従来例４では、型紙自体が人工爪になるものであるが、型紙がどのような材質で作られているのかについては、何ら開示されておらず、それを示唆する記載もない。
【００１０】
本発明は、上記課題を解決するためになされたものであり、各個人毎の爪の形状や大きさに合致した所望の人工爪を低コストかつ短時間で作製することができ、人工爪の天然爪への接着性が良好である人工爪の作製方法、人工爪及び人工爪の接着方法を提供することを目的とする。
【００１１】
【課題を解決するための手段】
本発明の第１の人工爪の作製方法は、湾曲可能な板状部材を棒状部材、湾曲部材又は指の爪部に沿って湾曲させる工程と、前記湾曲された板状部材の表面に瞬間接着剤を爪の形になるように塗布する工程と、前記塗布して乾燥した瞬間接着剤からなる人工爪を整形する工程と、前記板状部材から人工爪を離脱させる工程と、を有することを特徴とするものである。
【００１２】
前記塗布された瞬間接着剤が乾燥する前に、前記瞬間接着剤と同一の材質の瞬間接着剤を乾燥して作られた粉と色素とを混合した混合物を前記瞬間接着剤の表面に溶着してもよい。
【００１３】
本発明の第２の人工爪の作製方法は、天然爪の欠けた部分を補修するように瞬間接着剤を塗布する工程と、前記塗布された瞬間接着剤が乾燥する前に、前記瞬間接着剤と同一の材質の瞬間接着剤を乾燥して作られた粉と、天然爪の色と略同一の色素とを混合した混合物を前記瞬間接着剤の表面に溶着する工程と、前記塗布して乾燥した瞬間接着剤からなる人工爪を整形する工程と、を有することを特徴とするものである。
【００１４】
本発明の人工爪は、前述の作製方法により作製されたことを特徴とするものである。
【００１５】
本発明の人工爪の接着方法は、前記瞬間接着剤と同一の材質の瞬間接着剤を用いて、前述の作製方法により作製された人工爪を天然爪に接着することを特徴とするものである。
【００１６】
前記人工爪を天然爪に接着した後、人工爪と天然爪との境界部分及びその周辺部分に前記瞬間接着剤を塗布し、次いで、前記瞬間接着剤と同一の材質の瞬間接着剤を乾燥して作られた粉と色素とを混合した混合物を前記瞬間接着剤の表面に溶着し、次いで、乾燥した瞬間接着剤を整形して段差を平坦にしてもよい。
【００１７】
【発明の実施の形態】
以下、本発明の実施の形態を図面を参照しながら説明する。図１（Ａ）〜（Ｆ）は、本発明の第１の実施の形態に係る人工爪の作製方法を説明するための説明図、図２（Ａ）は作製された人工爪の一例を示す斜視図、（Ｂ）は作製された人工爪を天然爪に接着した状態を示す平面図、（Ｃ）は人工爪と天然爪との段差を平坦にする工程を説明するための平面図である。
【００１８】
第１の実施の形態では、まず、湾曲可能な板状部材１を用意し（図１（Ａ）参照）、その板状部材１を棒状部材、湾曲部材又は指の爪部２に沿って湾曲させる（図１（Ｂ）参照）。板状部材１としては、例えばパラフィン紙等が用いられる。
【００１９】
次いで、湾曲された板状部材１の表面に瞬間接着剤３を爪の形になるように塗布する（図１（Ｃ）参照）。瞬間接着剤３としては、例えば東亞合成株式会社製のアロンアルファ（商標）等が用いられる。
【００２０】
次いで、塗布された瞬間接着剤３が乾燥する前に、瞬間接着剤３と同一の材質の瞬間接着剤３を乾燥して作られた粉と色素とを混合した混合物４を瞬間接着剤３の表面にふりかけて筆等で均等にして溶着する（図１（Ｄ）参照）。その際、色素としては顔料等のように粉状のものが好ましい。また、色素の他に、天然又は人工の香料を含ませてもよい。なお、上記の工程は、作製する人工爪を着色しない場合には不要となる。
【００２１】
次いで、乾燥した瞬間接着剤３からなる人工爪６をヤスリ５で削って、凹凸を平坦にしたり、形を整えて整形する（図１（Ｅ）参照）。例えば、鹿皮等で作られた爪用のヤスリ５を用いることにより、表面に光沢が出るので好ましい。
【００２２】
最後に、湾曲した板状部材１を内側につまんで、板状部材１から人工爪６を離脱させる（図１（Ｆ）参照）。
【００２３】
以上の工程により、図２（Ａ）に示すように、瞬間接着剤３を組成物とする湾曲した形状の人工爪６を作製することができる。
【００２４】
なお、板状部材１から人工爪６を離脱させる工程は、人工爪６を整形する工程よりも前であってもよい。また、人工爪６をヤスリ５で荒削りした後に、板状部材１から人工爪６を離脱させ、その後に、人工爪６をヤスリ５で本削りしてもよい。
【００２５】
作製された人工爪６は、前述した瞬間接着剤３と同一の材質の瞬間接着剤３を用いて天然爪７に接着される（図２（Ｂ）参照）。その際、天然爪７の先端部から１／３〜２／３程度を覆う形で、人工爪６を装着する。
【００２６】
次いで、図３（Ｃ）に示すように、人工爪６と天然爪７との境界部分及びその周辺部分に瞬間接着剤３を塗布した後、混合物４を瞬間接着剤３の表面にふりかけて筆等で均等にして溶着する。
【００２７】
次いで、乾燥した瞬間接着剤３をヤスリ５で削って、段差を平坦にして、自然な爪の形にする。
【００２８】
本発明の実施の形態によれば、板状部材１を湾曲させる時の形状、瞬間接着剤３の塗布量、塗布面積等を適宜調整することにより、各個人毎の爪の形状や大きさ（長さ、幅等）に合致した所望の人工爪６を作製することができる。
【００２９】
また、特別な器具や装置を必要とせず、市販されている瞬間接着剤３や既存の器具を用いるので、低コストで人工爪６を作製することができる。
【００３０】
また、紫外線又は可視光線を照射する工程等を必要としないので、短時間で人工爪６を作製することができる。
【００３１】
また、瞬間接着剤３と同一の材質の瞬間接着剤３を乾燥して作られた粉と色素とを混合した混合物４を瞬間接着剤３の表面にふりかけて溶着するので、瞬間接着剤３の同質性から、色素を含む混合物４が人工爪６の表面によくなじむという効果がある。
【００３２】
さらに、瞬間接着剤３と同一の材質の瞬間接着剤３を用いて、前述の方法で作製された人工爪６を天然爪７に接着するので、瞬間接着剤３の同質性から人工爪６の天然爪７への接着性が良好になる。
【００３３】
図３（Ａ）〜（Ｃ）は、本発明の第２の実施の形態に係る人工爪６の作製方法を説明するための説明図である。
【００３４】
第２の実施の形態では、まず、天然爪７の欠けた部分７ａ（図３（Ａ）参照）を補修するように適当な量及び範囲に瞬間接着剤３を塗布する（図３（Ｂ）参照）。瞬間接着剤３としては、例えば東亞合成株式会社製のアロンアルファ（商標）等が用いられる。
【００３５】
次いで、塗布された瞬間接着剤３が乾燥する前に、前述した瞬間接着剤３と同一の材質の瞬間接着剤３を乾燥して作られた粉と、天然爪７の色と略同一の色素とを混合した混合物４を前記瞬間接着剤３の表面に溶着する。
【００３６】
次いで、塗布して乾燥した瞬間接着剤３からなる人工爪６をヤスリ５で削って、凹凸を平坦にしたり、形を整えて整形する（図３（Ｃ）参照）。例えば、鹿皮等で作られた爪用のヤスリ５を用いることにより、表面に光沢が出るので好ましい。
【００３７】
第２の実施の形態によれば、人工爪６によって天然爪７の欠けた部分７ａを低コストかつ短時間で自然な形に補修することができる。
【００３８】
本発明の実施の形態により作製された人工爪６は、表面にネイルアート等を施してファッションの一部として利用することができる。また、怪我や病気のために爪を無くしたり、割れ爪、折れ爪、変形爪になった者にとっても、本発明の実施の形態により作製された人工爪６を利用することができる。さらに、変形した天然爪７の矯正として本発明の実施の形態により作製された人工爪６を利用することができる。
【００３９】
なお、天然爪７に接着した人工爪６を短くする場合には、市販の爪切りを用いて先端部から切り取る。
【００４０】
また、本発明の実施の形態により作製された人工爪６は、手の指だけでなく足の指に適用することも可能である。
【００４１】
本発明は、上記実施の形態に限定されることはなく、特許請求の範囲に記載された技術的事項の範囲内において、種々の変更が可能である。例えば、図面に開示された人工爪６の形状や大きさ（長さ、幅等）は例示であって、これに限定されるものではない。
【００４２】
【発明の効果】
本発明によれば、板状部材を湾曲させる時の形状、瞬間接着剤の塗布量、塗布面積等を適宜調整することにより、各個人毎の爪の形状や大きさに合致した所望の人工爪を作製することができる。
【００４３】
また、特別な器具や装置を必要とせず、市販されている瞬間接着剤や既存の器具を用いるので、低コストで人工爪を作製することができる。
【００４４】
また、紫外線又は可視光線を照射する工程等を必要としないので、短時間で人工爪を作製することができる。
【００４５】
また、瞬間接着剤と同一の材質の瞬間接着剤を乾燥して作られた粉と色素とを混合した混合物を瞬間接着剤の表面にふりかけて溶着した場合には、瞬間接着剤の同質性から、色素を含む混合物が人工爪の表面によくなじむという効果がある。
【００４６】
さらに、瞬間接着剤と同一の材質の瞬間接着剤を用いて、前述の方法で作製された人工爪を天然爪に接着した場合には、瞬間接着剤の同質性から人工爪の天然爪への接着性が良好になる。
【図面の簡単な説明】
【図１】（Ａ）〜（Ｆ）は、本発明の第１の実施の形態に係る人工爪の作製方法を説明するための説明図である。
【図２】（Ａ）は作製された人工爪の一例を示す斜視図、（Ｂ）は作製された人工爪を天然爪に接着した状態を示す平面図、（Ｃ）は人工爪と天然爪との段差を平坦にする工程を説明するための平面図である。
【図３】（Ａ）〜（Ｃ）は、本発明の第２の実施の形態に係る人工爪の作製方法を説明するための説明図である。
【符号の説明】
１：板状部材
２：棒状部材、湾曲部材又は指の爪部
３：瞬間接着剤
４：混合物
５：ヤスリ
６：人工爪
７：天然爪
【図１】
0003698417.tif 000002
【図２】
0003698417.tif 000003
【図３】
0003698417.tif 000004